(57)【要約】    【課題】      使用されていないメモリ領域を一時的に他の用途に振り向けることで、異なる通信方式間での音声通信を少ないメモリ容量で行うこと。    【解決手段】  音声符号化方式検出部１０３は、受信した音声符号化信号の符号化方式を検出する。音声復号化部１０４Ａ〜１０４Ｎは、音声符号化信号を復号する。メモリ制御部１０８は、音声符号化方式検出部１０３にて検出された符号化方式に基づいて、音声符号化信号を復号する音声復号化部１０４Ａ〜１０４Ｎを選択する。また、メモリ制御部１０８は、音声符号化信号を復号する音声復号化部１０４Ａ〜１０４Ｎ用のメモリ領域１１４Ａ〜１１４Ｎを確保するとともに、音声符号化信号を復号しない音声復号化部１０４Ａ〜１０４Ｎ用のメモリ領域１１４Ａ〜１１４Ｎを開放する。  【選択図】      図１
2007078962.tif 000002
【特許請求の範囲】
【請求項１】
異なる複数の符号化方式の内の任意の符号化方式にて符号化された音声信号である音声符号化信号を受信する受信手段と、
前記受信手段にて受信した前記音声符号化信号の符号化方式を検出する符号化方式検出手段と、
前記符号化方式検出手段にて検出された符号化方式で前記受信手段にて受信した前記音声符号化信号を復号する音声復号化手段と、
前記音声復号化手段にて前記音声符号化信号を復号する際に必要な符号化方式毎のメモリ領域を有するメモリと、
前記符号化方式検出手段にて検出された符号化方式の前記メモリ領域を確保するとともに、前記符号化方式検出手段にて検出された符号化方式以外の符号化方式の前記メモリ領域を開放するメモリ制御手段と、
を具備することを特徴とする通信端末装置。
【請求項２】
受信した所定の符号化方式にて符号化された音声信号である音声符号化信号の符号化方式を検出する符号化方式検出手段と、
前記符号化方式検出手段にて検出された符号化方式にて送信すべき音声信号を符号化する音声符号化手段と、
前記音声符号化手段にて前記送信すべき音声信号を符号化する際に必要な符号化方式毎のメモリ領域を有するメモリと、
前記符号化方式検出手段にて検出された符号化方式の前記メモリ領域を確保するとともに、前記符号化方式検出手段にて検出された符号化方式以外の符号化方式の前記メモリ領域を開放するメモリ制御手段と、
を具備することを特徴とする通信端末装置。
【請求項３】
異なる複数の符号化方式の内の任意の符号化方式にて符号化された音声信号である音声符号化信号を受信するステップと、
受信した前記音声符号化信号の符号化方式を検出するステップと、
検出された符号化方式の前記音声符号化信号を復号する際に必要なメモリ領域を確保するとともに、検出された符号化方式以外の符号化方式の前記音声符号化信号を復号する際に必要なメモリ領域を開放するステップと、
確保された前記メモリ領域を使いながら検出された符号化方式にて前記音声符号化信号を復号するステップと、
を具備することを特徴とする復号方法。
【請求項４】
所定の符号化方式にて符号化された音声信号である音声符号化信号を受信するステップと、
受信した前記音声符号化信号の符号化方式を検出するステップと、
検出された符号化方式にて送信すべき音声信号を符号化する際に必要なメモリ領域を確保するとともに、検出された符号化方式以外の符号化方式にて前記送信すべき音声信号を符号化する際に必要なメモリ領域を開放するステップと、
確保された前記メモリ領域を使いながら検出した符号化方式にて前記送信すべき音声信号を符号化するステップと、
を具備することを特徴とする符号化方法。
【発明の詳細な説明】
【技術分野】
【０００１】
本発明は、通信端末装置、復号方法及び符号化方法に関する。
【背景技術】
【０００２】
近年、異なる通信方式間での音声通信が、１つの携帯通信端末装置で行うことが可能になっている。通信方式が異なる場合には、音声符号化方式も異なる。このため、複数の通信方式間での音声通信を１つの携帯通信端末装置で実現するためには、１つの携帯通信端末装置に、複数の音声符号化装置、音声復号化装置を備える必要がある。
【０００３】
特許文献１は、方式判定手段が、受信した信号の音声符号化方式を識別し、識別した結果に応じた復号化手段を選択して、受信した信号を復号する装置を開示している。
【特許文献１】特開平９−１８３４７号公報
【発明の開示】
【発明が解決しようとする課題】
【０００４】
しかしながら、従来の装置においては、音声符号化装置、音声復号化装置は、携帯通信端末装置内の信号処理プロセッサに実装されるが、信号処理プロセッサには、複数の音声符号化用及び音声復号化用のメモリ装置がそれぞれ実装されているため、メモリ容量の増加により、信号処理プロセッサで実現可能な他の信号処理機能が実装不可能になるという問題や、搭載するメモリ容量が増加することで高価になるという問題がある。
【０００５】
本発明は、かかる点に鑑みてなされたものであり、使用されていないメモリ領域を一時的に他の用途に振り向けることで、異なる通信方式間での音声通信を少ないメモリ容量で行うことができる通信端末装置、復号方法及び符号化方法を提供することを目的とする。
【課題を解決するための手段】
【０００６】
本発明の通信端末装置は、異なる複数の符号化方式の内の任意の符号化方式にて符号化された音声信号である音声符号化信号を受信する受信手段と、前記受信手段にて受信した前記音声符号化信号の符号化方式を検出する符号化方式検出手段と、前記符号化方式検出手段にて検出された符号化方式で前記受信手段にて受信した前記音声符号化信号を復号する音声復号化手段と、前記音声復号化手段にて前記音声符号化信号を復号する際に必要な符号化方式毎のメモリ領域を有するメモリと、前記符号化方式検出手段にて検出された符号化方式の前記メモリ領域を確保するとともに、前記符号化方式検出手段にて検出された符号化方式以外の符号化方式の前記メモリ領域を開放するメモリ制御手段と、を具備する構成を採る。
【０００７】
また、本発明の通信端末装置は、受信した所定の符号化方式にて符号化された音声信号である音声符号化信号の符号化方式を検出する符号化方式検出手段と、前記符号化方式検出手段にて検出された符号化方式にて送信すべき音声信号を符号化する音声符号化手段と、前記音声符号化手段にて前記送信すべき音声信号を符号化する際に必要な符号化方式毎のメモリ領域を有するメモリと、前記符号化方式検出手段にて検出された符号化方式の前記メモリ領域を確保するとともに、前記符号化方式検出手段にて検出された符号化方式以外の符号化方式の前記メモリ領域を開放するメモリ制御手段と、を具備する構成を採る。
【０００８】
本発明の復号方法は、異なる複数の符号化方式の内の任意の符号化方式にて符号化された音声信号である音声符号化信号を受信するステップと、受信した前記音声符号化信号の符号化方式を検出するステップと、検出された符号化方式の前記音声符号化信号を復号する際に必要なメモリ領域を確保するとともに、検出された符号化方式以外の符号化方式の前記音声符号化信号を復号する際に必要なメモリ領域を開放するステップと、確保された前記メモリ領域を使いながら検出された符号化方式にて前記音声符号化信号を復号するステップと、を具備するようにした。
【０００９】
本発明の符号化方法は、所定の符号化方式にて符号化された音声信号である音声符号化信号を受信するステップと、受信した前記音声符号化信号の符号化方式を検出するステップと、検出された符号化方式にて送信すべき音声信号を符号化する際に必要なメモリ領域を確保するとともに、検出された符号化方式以外の符号化方式にて前記送信すべき音声信号を符号化する際に必要なメモリ領域を開放するステップと、確保された前記メモリ領域を使いながら検出した符号化方式にて前記送信すべき音声信号を符号化するステップと、を具備するようにした。
【発明の効果】
【００１０】
本発明によれば、使用されていないメモリ領域を一時的に他の用途に振り向けることで、異なる通信方式間での音声通信を少ないメモリ容量で行うことができる。
【発明を実施するための最良の形態】
【００１１】
本発明の実施の形態について、図面を参照して詳細に説明する。
【００１２】
（実施の形態）
図１は、本発明の実施の形態に係る通信端末装置１００の構成を示すブロック図である。
【００１３】
図１において、通信端末装置１００は、アンテナ１０１と、ＲＦ復調部１０２と、ＲＦ復調部１０２で復調した信号の音声符号化方式を検出する音声符号化方式検出部１０３と、ＲＦ復調部１０２で復調した音声符号化信号を復号するための複数の音声復号化部１０４Ａ〜１０４Ｎ及び音声復号化部１０４Ａ〜１０４Ｎ用のそれぞれのメモリ領域１１４Ａ〜１１４Ｎを具備する復号部１０４と、送信すべき音声信号を符号化するための複数の音声符号化部１０５Ａ〜１０５Ｎ及び音声符号化部１０５Ａ〜１０５Ｎ用のそれぞれのメモリ領域１１５Ａ〜１１５Ｎを具備する符号化部１０５とで構成している。
【００１４】
また、通信端末装置１００は、音声符号化方式検出部１０３で検出した音声符号化方式に従って、復号部１０４内の複数の音声復号方式から検出された音声復号方式を選択し、選択した音声復号化部１０４Ａ〜１０４Ｎに切り換える音声復号化部切替え部１０６と、音声符号化方式検出部１０３で検出した音声符号化方式に従って、符号化部１０５内の複数の音声符号化方式から検出された音声符号化方式を選択し、選択した音声符号化部１０５Ａ〜１０５Ｎに切り換える音声符号化部切替え部１０７と、選択された音声復号化部１０４Ａ〜１０４Ｎが、受信した音声符号化信号を復号するために、選択された音声復号化部用のメモリ領域１１４Ａ〜１１４Ｎを確保すると共に、選択された音声符号化部１０５Ａ〜１０５Ｎが、送信すべき音声信号を符号化するために、選択された音声符号化部用のメモリ領域１１５Ａ〜１１５Ｎを確保するように制御し、選択された音声復号化部１０４Ａ〜１０４Ｎが、受信した音声符号化信号を復号する際、当該音声復号化部以外の音声復号化部用のメモリ領域１１４Ａ〜１１４Ｎを音声復号化部用のメモリ領域から開放し、又、選択された音声符号化部１０５Ａ〜１０５Ｎが、送信すべき音声信号を符号化する際、当該音声符号化部以外の音声符号化部用のメモリ領域１１５Ａ〜１１５Ｎを音声符号化部用のメモリ領域から開放するように制御するメモリ制御部１０８とで構成している。
【００１５】
さらに、通信端末装置１００は、復号部１０４で復号したディジタル信号をアナログ信号に変換するＤ／Ａ変換部１０９と、Ｄ／Ａ変換部１０９の出力したアナログ信号を再生する再生部１１０と、相手側の通信端末装置に送信すべき音声を送信するために、本発明の通信端末装置１００に音声を入力するための入力部１１１と、入力部１１１のアナログ出力信号をディジタル信号に変換して、変換したディジタル信号を符号化部１０５に入力せしめるＡ／Ｄ変換部１１２とで構成している。
【００１６】
メモリ制御部１０８は、メモリ領域解放部１１８と、メモリ領域確保部１１９とで構成している。また、メモリ１１４は、複数のメモリ領域１１４Ａ〜１１４Ｎを有しており、メモリ１１５は、複数のメモリ領域１１５Ａ〜１１５Ｎを有している。
【００１７】
次に、このように構成された通信端末装置１００の動作を詳細に説明する。
【００１８】
音声変調信号は、アンテナ１０１により受信され、ＲＦ復調部１０２へ出力される。ＲＦ復調部１０２は、アンテナ１０１から出力されたＲＦ信号から音声符号化信号を復調する。ＲＦ復調部１０２で復調された音声符号化信号は、音声情報処理フレーム単位で、復号部１０４へ出力され、又、音声符号化方式検出部１０３へも出力される。
【００１９】
音声符号化方式検出部１０３での受信した信号の音声符号化方式の検出結果は、音声復号化部切替え部１０６及び音声符号化部切替え部１０７へ出力される。
【００２０】
音声復号化部切替え部１０６は、音声符号化方式検出部１０３から出力された音声符号化方式の検出結果から、使用する音声復号方式の種別情報を、メモリ領域解放部１１８とメモリ領域確保部１１９へ出力する。また、音声符号化部切替え部１０７は、音声符号化方式検出部１０３から出力された音声符号化方式の検出結果から、使用する音声符号化方式の種別情報を、メモリ領域解放部１１８とメモリ領域確保部１１９へ出力する。
【００２１】
メモリ領域解放部１１８では、音声復号化部切替え部１０６から出力された音声復号方式の種別情報から、使用されない音声復号化部用のメモリ領域を音声復号化部用のメモリ領域から解放する。同様に、メモリ領域解放部１１８は、音声符号化部切替え部１０７から出力された音声符号化方式の種別情報から、使用されない音声符号化部用のメモリ領域を音声符号化部用のメモリ領域から解放する。
【００２２】
又、メモリ領域確保部１１９は、音声復号化部切替え部１０６から出力された音声符号化方式の種別情報から、使用する音声符号化方式に対応した音声復号化部で使用するメモリ領域の確保を行う。同様に、メモリ領域確保部１１９では、音声符号化部切替え部１０７から出力された音声符号化方式の種別情報から、使用する音声符号化方式に対応した音声符号化部で使用するメモリ領域の確保を行う。
【００２３】
そして、音声符号化方式検出部１０３から出力された音声符号化方式の検出結果に基づき、復号部１０４の選択された音声復号化部１０４Ａ〜１０４Ｎに、音声符号化情報が入力される。選択された音声復号化部１０４Ａ〜１０４Ｎでは、入力された音声符号化情報を復号し、音声ディジタル信号を出力する。復号部１０４で復号された音声ディジタル信号は、Ｄ／Ａ変換部１０９へ出力され、Ｄ／Ａ変換部１０９では、復号部１０４で復号された音声ディジタル信号をアナログ信号へ変換する。Ｄ／Ａ変換部１０９でアナログ信号に変換された信号は、再生部１１０へ出力され、再生部１１０で再生される。
【００２４】
一方、送信すべき音声アナログ信号は、入力部１１１を介して、Ａ／Ｄ変換部１１２へ入力される。Ａ／Ｄ変換部１１２では、入力された音声アナログ信号をディジタル信号へ変換し、Ａ／Ｄ変換部１１２でディジタル信号に変換された信号は、符号化部１０５に入力される。符号化部１０５では、音声符号化方式検出部１０３から出力された検出結果に基づき、選択された音声符号化部１０５Ａ〜１０５Ｎで符号化され、音声符号化信号として出力される。この場合、符号化部１０５では、メモリ領域確保部１１９の制御により必要なメモリ領域が確保され、又、メモリ領域解放部１１８の制御により使用しないメモリ領域が解放される。
【００２５】
そして、符号化された信号は、変調された後、所定の高周波電力に増幅され、アンテナから出力される。なお、メモリ領域解放部１１８で解放されたメモリは、解放されている間、他の用途に用いられる。
【００２６】
上記説明では、メモリ制御部１０８を、メモリ領域解放部１１８とメモリ領域確保部１１９とで構成したが、これに限らず、メモリ制御部は、受信した音声復号化信号を復号する際、復号化に用いられる音声復号化部以外の音声符号化部用のメモリ領域を音声復号化部用のメモリ領域から開放し、送信すべき音声信号を符号化する際、符号化に用いられる音声符号化部以外の音声符号化部用のメモリ領域を音声符号化部用のメモリ領域から開放するように構成すれば、メモリ制御部は、どのような構成でも良い。
【００２７】
このように、本実施の形態によれば、音声処理フレーム単位で、使用する音声符号化方式に対応した音声符号化部、音声復号化部にそれぞれ必要なメモリ領域を確保し、又、使用しないメモリ領域を解放することで、解放されたメモリ領域を、他の用途に用いることが出来るので、実装するメモリ容量を少なくすることができるとともに、異なる通信方式間での音声通信を少ないメモリ容量で行うことができる。
【産業上の利用可能性】
【００２８】
本発明にかかる通信端末装置、復号方法及び符号化方法は、特に、異なる通信方式間での音声通信を行うのに好適である。
【図面の簡単な説明】
【００２９】
【図１】本発明の実施の形態に係る通信端末装置の構成を示すブロック図
【符号の説明】
【００３０】
１０１  アンテナ
１０２  ＲＦ復調部
１０３  音声符号化方式検出部
１０４  復号部
１０４Ａ〜１０４Ｎ  音声復号化部
１０５  符号化部
１０５Ａ〜１０５Ｎ  音声符号化部
１０６  音声復号化部切替え部
１０７  音声符号化部切替え部
１０８  メモリ制御部
１０９  Ｄ／Ａ変換部
１１０  再生部
１１１  入力部
１１２  Ａ／Ｄ変換部
１１４、１１５  メモリ
１１４Ａ〜１１４Ｎ、１１５Ａ〜１１５Ｎ  メモリ領域
【図１】
2007078962.tif 000003